(57)【要約】【課題】釣り場の環境に合わせて長さを調整することができるタモの柄の提供。【解決手段】タモの柄１０は、元節１６と、第１番節１３と、中間節１４，１５とを備える。元節１６に貫通孔１１が設けられている。貫通孔１１は、釣人の指が容易に挿入される形状に形成されている。中間節１４，１５の先端は、貫通孔１１の位置に対応している。中間節１４，１５のうち第２番節１４は、第３番節１５よりも長尺に形成されている。【選択図】　図１
2004129533.tif 000002
【特許請求の範囲】
【請求項１】
釣人が把持する元節と、
元節の内部に振出式に組み込まれた複数の節と、
元節の外周面部の所定位置に設けられ、釣人の指が挿入され得る形状に形成された貫通孔とを有するタモの柄。
【請求項２】
上記複数の節は、
少なくとも、タモ網が装着される最も細径に形成された第１番節及び第１番節が引出自在に収容される中間節を有し、
中間節は、当該中間節が元節に収容された状態で、その先端が上記貫通孔が設けられた位置に配置されるように所定長さに設定されている請求項１記載のタモの柄。
【請求項３】
上記中間節は、複数の中間構成節から構成され、細径の中間構成節は大径の中間構成節よりも長尺に形成されている請求項２記載のタモの柄。
【請求項４】
上記元節は、
上記貫通孔の周縁部に装着され、上記中間節に当接し得るロック部材を備えている請求項２又は３記載のタモの柄。
【発明の詳細な説明】
【０００１】
【発明の属する技術の分野】
この発明は、魚をすくうためのタモ網が装着される柄部材、すなわち、タモの柄の構造に関するものである。
【０００２】
【従来の技術及び発明が解決しようとする課題】
例えば磯釣り等において、掛かった魚を取り込むために陸揚用すくい上げ具が使用される（例えば、非特許文献１参照）。この陸揚用すくい上げ具は、タモ網とタモの柄とを有し、タモ網がタモの柄の先端に装着される。
図７は、従来の一般的なタモの柄１の斜視図である。このタモの柄１は、いわゆる振出式のものであって、複数の筒状部材２〜５により構成されている。これら筒状部材２〜５は、順に第１番節、第２番節、第３番節及び第４番節と称される。
【０００３】
第４番節５（一般に最も大径の筒状部材）は、特に元節と称される。また、第２番節３及び第３番節４（一般に第１番節及び元節を除く筒状部材）は、特に中間節と総称される。
同図が示すタモの柄１のように、中間節が複数設けられている場合は、外径が細いものから順に、第２番節３が第１中間構成節と称され、第３番節４が第２中間構成節と称される。
【０００４】
第１番節２は第２番節３の内部に、第２番節３は第３番節４の内部に、第３番節４は元節５の内部に収容され、第１番節２〜第３番節４は、元節５から自在に振り出されるようになっている。
釣人は、陸揚用すくい上げ具を使用するときは、上記各節２〜４を振り出してタモの柄１を伸長させ、タモ網で魚をすくう。
このような振出式のタモの柄１では、各節２〜４が元節５から完全に振り出された状態で、第１番節２が第２番節３に一定の保持力で保持され、第２番節３及び第３番節４が、それぞれ第３番節４及び第４番節５に一定の保持力で保持される。つまり、タモの柄１は、通常は全伸長状態で安定して使用されるものである。
【０００５】
ところで、釣り場の環境はさまざまであり、例えば釣人の立ち位置が水面に対して近距離にある場合等では、タモの柄１が全伸長されると、タモの柄１が長すぎて使い難いものとなる場合がある。
従来、このような釣り場の環境では、釣人は、タモの柄１を例えば半伸長させる等することによって、当該環境に対応していた。しかし、これでは、各節２〜４が保持されず、タモの柄１の長さが安定しないので、結局タモの柄１は使いにくいものとなっていた。
【０００６】
そこで、本発明の目的は、釣り場の環境に合わせて長さを調整することができるタモの柄を提供することである。
【０００７】
【非特許文献１】
株式会社シマノ　２００２　Ｆｉｓｈｉｎｇ　Ｔａｃｋｌｅ　Ｃａｔａｌｏｇｕｅ（第６１〜６２頁）
【０００８】
【課題を解決するための手段】
（１）　上記目的を達成するため、本願に係るタモの柄は、釣人が把持する元節と、元節の内部に振出式に組み込まれた複数の節と、元節の外周面部の所定位置に設けられ、釣人の指が挿入され得る形状に形成された貫通孔とを有することを特徴とするものである。
【０００９】
この構成によれば、釣人は、元節を把持してこれを操作することにより、元節から当該元節の内部に収容された各節を振り出すことができる。これにより、通常は、各節が元節から引き出されて全伸長し、定格長さに設定される。
ここで、元節には貫通孔が設けられているから、釣人は、指を貫通孔に挿入して元節内部に配置された所望の節を押さえることができる。当該節が押さえられることにより、当該節は元節から伸長することができない。ただし、当該押さえられた節よりも先端側の節は、全伸長される。
したがって、釣人は、タモの柄の伸長長さを調整することができる。しかも、当該節は釣人の指によって押さえられているから、タモの柄が使用されるときに元節から伸長した節が元節に対して回転等することがなく、安定する。
【００１０】
（２）　上記複数の節は、少なくとも、タモ網が装着される最も細径に形成された第１番節及び第１番節が引出自在に収容される中間節を有し、中間節は、当該中間節が元節に収容された状態で、その先端が上記貫通孔が設けられた位置に配置されるように所定長さに設定されている構造が望ましい。
この構成では、釣人は、貫通孔に指を挿入して中間節を押さえることができ、これにより、当該押さえられた中間節の内部に収容された節のみが、元節から完全に引き出される。このとき、中間節の先端が貫通孔の位置に配置されているから、釣人は、貫通孔に指を挿入しただけで、簡単且つ確実に当該中間節を押さえることができる。
【００１１】
（３）　上記中間節は、複数の中間構成節から構成され、細径の中間構成節は大径の中間構成節よりも長尺に形成されているのが好ましい。
この構成では、径の小さい中間構成節ほど長尺に形成されているから、中間節が元節内に収容された状態では、各中間構成節の先端の位置がずらされることになる。したがって、釣人が貫通孔に指を挿入したときは、釣人は、いずれの中間構成節を押さえるのかを容易に確認することができる。これにより、釣人は、より一層簡単且つ確実にタモの柄の伸長長さを調整することができる。
【００１２】
（４）　上記元節は、上記貫通孔の周縁部に装着され、上記中間節に当接し得るロック部材を備えていてもよい。
このロック部材が元節に装着されることにより、当該ロック部材が中間節に当接するから、当該中間節が元節から振り出されることがない。これにより、釣人は、指で中間節を押さえることなく、タモの柄の伸長長さをなお一層簡単に調整することができる。
【００１３】
【発明の実施の形態】
以下、適宜図面が参照されつつ、好ましい実施形態に基づいて本発明が詳細に説明される。
【００１４】
図１は、本発明の一実施形態に係るタモの柄１０の正面図である。
このタモの柄１０は、魚釣りに使用される陸揚用すくい上げ具の柄部を構成している。タモの柄１０は、その先端に、所定のタモ網が装着されるようになっている。釣人は、タモの柄１０を把持し、タモ網を操作することによって魚をすくう。
本実施形態の特徴とするところは、タモの柄１０の構造にあり、具体的には、タモの柄１０の元節１６に釣人の指が挿入される貫通孔１１が設けられている点である。これにより、釣人は、釣り場の環境に応じてタモの柄１０の伸長長さを自在に調整することができるようになっている。以下、タモの柄１０の構成について詳述される。
【００１５】
タモの柄１０は、４本の筒状部材１３〜１６から構成されている。本実施形態では、タモの柄１０は、４本の筒状部材１３〜１６を備えるが、さらに多数の筒状部材により構成されていてもよい。
各筒状部材１３〜１６は、それぞれ「節」と称され、外径の小さいものから順に（タモの柄１０の先端側から順に）、第１番節１３、第２番節１４、第３番節１５及び第４番節１６と称される。なお、一般論として、タモの柄がさらに多数のｎ本の筒状部材を備える場合も同様に、タモの柄の先端側から順に、第１番節、第２番節・・・、第ｎ番節と称される。最も大径の筒状部材（本実施形態では、第４番節１６）は、特に元節と称される。
また、第２番節１４及び第３番節１５は中間節と総称され、第２番節１４が特に第１中間構成節、第３番節１５が特に第２中間構成節とも称される。
各節１３〜１６は、既知の要領で構成される。例えば、カーボンプリプレグが所定形状に裁断され、これが筒状に巻回されることによって、円筒状の各接１３〜１６が形成される。
【００１６】
各節１３〜１６は、いわゆる振出式に構成されている。すなわち、第１番節１３は第２番節１４の内部に引き出し自在に収容されている。第１番節１３はテーパ状に形成されており、先端部の外径よりも後端部の外径の方が大きくなるように形成されている。また、第１番節１３の後端径は、第２番節１４の先端径よりも大きく設定されている。
したがって、第１番節１３が第２番節１４から引き出されたときは、第１番節１３の後端部分が第２番節１４の先端部分とかみ合って両者が固定されるようになっている。なお、第２番節１４と第３番節１５との関係及び第３番節１５と元節１６との関係も同様である。
【００１７】
第１番節１３の先端部には、キャップ部材１７が取り付けられている。このキャップ部材１７は、各節１３〜１５が元節１６の内部に収容されたときに、元節１６の先端部の内側に嵌め込まれるようになっている。
なお、図示されていないが、第１番節１３の先端部の内側には、円筒状のスリーブが嵌め込まれており、このスリーブにタモ網が装着されるようになっている。
また、第２番節１４ないし元節１６の先端部には、当該部分の剛性を向上させ、隣り合う節のかみ合いを確実なものとするために、リングＲ１〜Ｒ３が装着されている。
さらに、元節１６の後端部には、栓部材１２が設けられている。栓部材１２は、元節１６に螺合されており、元節１６に対して着脱自在となっている。栓部材１２が取り外されることにより、第２番節１４及び第３番節１５は、元節１６から取り出されるようになっている。
【００１８】
図２は、タモの柄１０の縦断面図であり、タモの柄１０の内部構造が図示されている。同図では、第１番節１３〜第３番節１５が元節１６の内部に収容された状態、すなわち、収納状態のタモの柄１０が図示されている。
同図が示すように、タモの柄１０が収納状態のときは、第３番節１５が元節１６の内部に収容され、第３番節１５の後端が栓部材１２の端面に当接している。また、第２番節１４が第３番節１５の内部に収容され、第２番節１４の後端が栓部材１２の端面に当接している。さらに、第１番節１３が第２番節１４の内部に収容され、第１番節１３の後端が栓部材１２の端面に当接すると共にキャップ部材１７が元節１６の先端部に嵌め込まれている。
【００１９】
図３は、タモの柄１０の要部拡大断面図であり、図４は、タモの柄１０の要部拡大平面図である。これらの図は、元節１６の貫通孔１１が設けられた部分の構造を詳細に示している。
元節１６には、上記貫通孔１１が形成されている。貫通孔１１は、元節１６の先端から距離Ａの位置に形成されている。もっとも、この距離Ａは、１０ｍｍ〜５００ｍｍの範囲で適宜設定され得るものである。元節１６は、釣人により把持され、操作されるものであり、釣人は、元節１６を把持しながら各節１３〜１５を振り出す。したがって、上記距離Ａが上記寸法に設定されることにより、釣人は、元節１６から簡単に各節１３〜１５を振り出すことができる。
【００２０】
貫通孔１１は、図４が示すように円形の長孔に形成されている。貫通孔１１は、元節１６の軸方向に沿って延設されており、その延設長さＢは、１０ｍｍ〜５０ｍｍの範囲で適宜設定され得るものである。
また、貫通孔１１の幅寸法Ｃは、１０ｍｍ〜３０ｍｍの範囲で適宜設定され得るものである。
貫通孔１１が設けられたことによる作用効果については、後に詳述される。
【００２１】
第３番節１５は、元節１６よりも短尺に形成されている。タモの柄１０が上記収納状態であるときは、第３番節１５の先端は、上記貫通孔１１が設けられた位置に配置される。ただし、図３が示すように、第３番節１５の先端は、貫通孔１１の後方寄りに位置している。
第２番節１４は、第３番節よりも長尺に形成されている。したがって、タモの柄１０が上記収納状態であるときは、第２番節１４の先端は、第３番節１５の先端から突出しており、上記貫通孔１１が設けられた位置に配置される。ただし、図３が示すように、第２番節１４の先端は、貫通孔１１の前方寄りに位置している。つまり、第２番節１４の先端と第３番節１５の先端とは、その位置がずらされている。
なお、第１番節１３は、第２番節１４よりも長尺に形成されており、その先端に設けられたキャップ部材１７が元節１６に嵌め込まれている。
【００２２】
このタモの柄１０は、次のようにして使用される。
釣人は、まず、タモ網を第１番節１３の先端に取り付け、陸揚用すくい上げ具を組み立てる。釣人は、陸揚用すくい上げ具を用いて魚をすくう場合は、元節１６を把持してこれを操作し、元節１６から第１番節１３ないし第３番節１５を振り出す。各節１３〜１５が完全に振り出された場合は、タモの柄１０が全伸長し、タモの柄１０が定格長さに設定される。
【００２３】
元節１６には上記貫通孔１１が設けられている。釣人は、必要に応じて指を貫通孔１１に挿入し、元節１６の内部に配置された第２番節１４又は第３番節１５を押さえることができる。
第２番節１４が押さえられることにより、第２番節１４は元節１６から引き出されることはなく、第１番節１３のみが元節１６から引き出される。このとき、第１番節１３は第２番節１４に対して完全に引き出され、第２番節１４に対して所定の保持力で保持される。
また、第３番節１５が押さえられることにより、第３番節１５は元節１６から引き出されることはなく、第１番節１３及び第２番節１４のみが元節１６から引き出される。このとき、第１番節１３は第２番節１４に対して完全に引き出されて第２番節１４に対して所定の保持力で保持され、第２番節１４は第３番節１５に対して完全に引き出されて第３番節１５に対して所定の保持力で保持される。
【００２４】
このように、釣人は、タモの柄１０の伸長長さを調整することができる。しかも、元節１６から引き出されない節（第２番節１４又は第３番節１５）は、釣人の指によって押さえられているから、タモの柄１０が使用されるときに元節１６に対して第１番節１３又は第２番節１４が回転等することがない。さらに、元節１６から引き出された第１番節１３又は第２番節１４は、所定の保持力で保持されるから、タモの柄１０の長さは安定する。
【００２５】
したがって、このタモの柄１０では、釣人は、元節１６に対して第１番節１３のみ、あるいは第１番節１３及び第２番節１４のみを伸長させることができので、釣り場の環境、例えば立ち位置の高さ等に対応させてタモの柄１０の伸長長さを調整することができる。その結果、釣人は、立ち位置の低い釣り場ではタモの柄１０の伸長長さを短くし、立ち位置の高い釣り場ではタモの柄１０の長さを長くすることができるので、釣り場の環境に応じてタモの柄１０を快適に使用することができる。
【００２６】
特に、本実施形態では、中間節１４，１５の軸方向長さが前述のように設定され、中間節１４，１５の先端は、上記貫通孔１１が設けられた位置に配置されている。
したがって、釣人は、貫通孔１１に指を挿入するだけで、中間節１４，１５を押さえることができる。これにより、押さえられた中間節１４，１５の内部に収容された節のみ（第１番節１３のみ又は第１番節１３及び第２番節１４のみ）が、元節１６から完全に引き出される。
つまり、タモの柄１０の伸長長さが簡単且つ確実に調整されるという利点がある。
【００２７】
さらに、本実施形態では、外径の小さい中間構成節ほど長尺に形成されている。すなわち、第２番節１４が第３番節１５よりも長尺に形成されているから、両者の先端位置がずれている。したがって、釣人が貫通孔１１に指を挿入したときは、釣人は、第２番節１４又は第３番節１５のいずれを押さえるのかを容易に確認することができる。そして、釣人が第２番節１４を押さえたときは、タモの柄１０の伸長長さを短くすることができ、第３番節１５を押さえたときは、タモの柄１０の伸長長さを長くすることができる。
その結果、釣人は、より一層簡単且つ確実に、タモの柄１０の伸長長さを所望お長さに調整することができる。
【００２８】
次に、本実施形態の変形例について説明される。
図５は、本実施形態の変形例に係るタモの柄１０の要部拡大断面図である。同図は、元節１６の貫通孔１１にロック部材２０が嵌め込まれている状態を示している。
本変形例が上記実施形態と異なるところは、元節１６に上記ロック部材２０が設けられている点である。なお、その他の構成については、上記実施形態に係るタモの柄１０と同様である。
【００２９】
図６は、ロック部材２０の斜視図である。
ロック部材２０は、基部２１と、嵌合部２２と、当接片２３とを備えている。これらは、例えばゴム、樹脂、金属等により一体的に形成されている。
基部２１は、薄肉の板状に形成されており、略小判形に形成されている。
嵌合部２２も薄肉の板状に形成されており、基部２１と相似形に形成されている。つまり、嵌合部２２は、基部２１の略小判形形状を縮小した略小判形に形成されており、その肉厚寸法は、元節１６の肉厚寸法に対応している。
当接片２３は、同図が示すようにブロック状に形成されている。当接片２３は、嵌合部２２に突設されており、その突出寸法ｈは、後述のように所定寸法に設定されている。
【００３０】
このロック部材２０は、図５が示すように、元節１６に径方向に沿って嵌め込まれる。このとき、上記嵌合部２２が貫通孔１１に嵌め込まれ、基部２１が貫通孔１１の周縁部を被うように配置される。また、この状態で、当接片２３が元節１６の内部に突出する。当接片２３の上記突出寸法ｈは、その先端が第１番節１３に当接せず、且つ第２番節１４の先端面に当接するように設定されている。
【００３１】
本変形例では、上記ロック部材２０が設けられることにより、ロック部材２０の当接片２３が第２番節１４に当接する。これにより、第２番節１４及び第３番節１５は、元節１６から引き出されることはなく、第１番節１３のみが元節１６から引き出される。したがって、釣人は、指で中間節を押さえることなく、第１番節１３のみを元節１６から引き出して、タモの柄１０を伸長させることができる。
なお、上記当接片２３の突出寸法ｈは、第２番節１４に当接せず、第３番節１５の端面にのみ当接するように設定されていてもよい。この場合には、第３番節１５は、元節１６から引き出されることはなく、第１番節１３及び第２番節１４のみが元節１６から引き出される。したがって、釣人は、指で中間節を押さえることなく、第１番節１３及び第２番節１５を元節１６から引き出して、タモの柄１０を伸長させることができる。
【００３２】
よって、本変形例では、釣人が指で中間節を押さえることなく、上記ロック部材２０が設けられるだけで自動的にタモの柄１０の伸長長さが調整される。したがって、釣人は、より一層簡単にタモの柄１０の伸長長さを調整することができる。
【００３３】
上記実施形態及び変形例では、元節１６に長孔状の貫通孔１１が形成されているが、貫通孔１１の形状はこれに限定されるものではなく、釣人が指を挿入しやすいものであれば、他の形状が採用されてもよい。
また、上記ロック部材２０は、中間節１４，１５をロックするために当接片２３が形成されているが、これに限定されるものではなく、中間節１４，１５の元節１６に対する移動を規制し得るものであれば、他の構造が採用されてもよい。
【００３４】
【発明の効果】
以上のように本発明によれば、釣人は、元節に対して所望の節のみを伸長させることができので、釣り場の環境、例えば立ち位置の高さ等に対応させてタモの柄の伸長長さを調整することができる。これにより、釣人は、立ち位置の低い釣り場ではタモの柄の伸長長さを短くし、立ち位置の高い釣り場ではタモの柄の長さを長くすることができるので、釣り場の環境に応じてタモの柄を快適に使用することができる。
【図面の簡単な説明】
【図１】図１は、本発明の一実施形態に係るタモの柄の正面図である。
【図２】図２は、本発明の一実施形態に係るタモの柄の縦断面図である。
【図３】図３は、本発明の一実施形態に係るタモの柄の要部拡大断面図である。
【図４】図４は、本発明の一実施形態に係るタモの柄の要部拡大平面図である。
【図５】図５は、本発明の一実施形態の変形例に係るタモの柄の要部拡大断面図である。
【図６】図６は、本発明の一実施形態の変形例に係るロック部材の斜視図である。
【図７】図７は、従来の一般的なタモの柄の斜視図である。
【符号の説明】
１０・・・タモの柄
１１・・・貫通孔
１３・・・第１番節
１４・・・第２番節
１５・・・第３番節
１６・・・元節
２０・・・ロック部材
２１・・・基部
２２・・・嵌合部
２３・・・当接片
【図１】
2004129533.tif 000003
【図２】
2004129533.tif 000004
【図３】
2004129533.tif 000005
【図４】
2004129533.tif 000006
【図５】
2004129533.tif 000007
【図６】
2004129533.tif 000008
【図７】
2004129533.tif 000009